(57)【要約】      （修正有）【課題】照明できる掛け時計を提供する。【解決手段】本体１１を含み、本体１１の中の右側には針装置１０１が設けられ、針装置１０１の左側には照明装置１０２が設けられ、針装置１０１の中の左側にはドア開閉装置１０３が設けられ、本体１１の中にはモーター１２が設けられ、モーター１２の左端には動力軸が動力が伝達できるように連結され、動力軸のうちモーター１２から離れている一端が照明装置１０２とドア開閉装置１０３とに連結される。【選択図】図１
2020180955.tif 000002
【特許請求の範囲】
【請求項１】
本体を含み、前記本体の中の右側には針装置が設けられ、前記針装置の左側には照明装置が設けられ、前記針装置の中の左側にはドア開閉装置が設けられ、前記本体の中にはモーターが設けられ、前記モーターの左端には動力軸が動力が伝達できるように連結され、前記動力軸のうち前記モーターから離れている一端が前記照明装置と前記ドア開閉装置とに連結され、前記針装置は前記本体の中に設けられ、かつ右方に開口した針チャンバを含み、前記照明装置は前記針チャンバの左側に連通し設けられた環状照明チャンバを含み、前記環状照明チャンバの左壁の中には環状排列の四つのガイドスライド溝が連通し設けられ、前記ガイドスライド溝の中にはガイドスライドロッドがスライドできるように設けられ、前記環状照明チャンバの中には環状排列の四つライトが設けられ、前記ガイドスライドロッドが前記ガイドスライド溝に沿ってスライドする時に前記ライトを中心から離れている方向へ移動連動させることができ、前記ガイドスライド溝の左側には回転ロッドチャンバが連通し設けられ、前記回転ロッドチャンバの中には回転盤が回転できるように設けられ、前記モーターが前記回転ロッドチャンバの右壁の中に固定的に設けられ、かつ前記回転盤を回転連動させることができ、前記ドア開閉装置は前記回転ロッドチャンバの左側に設けられた回転チャンバを含み、前記回転ロッドチャンバの中には前記動力軸の左端に固定的に連結された不規則歯車が回転できるように設けられ、前記回転チャンバの右側には前記環状照明チャンバの外円側に位置している環状仕切り板チャンバが連通し設けられ、前記環状仕切り板チャンバの中には環状排列の四つの仕切り板がスライドできるように設けられ、前記環状仕切り板チャンバの中には四つの口が環状排列に設けられ、前記口が前記環状照明チャンバと外部とを連通し、
前記モーターが前記仕切り板を先に開けることをコントロールし、そして前記ライトを外部に移動連動させて照明させることを特徴とする照明できる掛け時計。
【請求項２】
前記照明装置は前記回転盤の中に設けられた押しチャンバを含み、前記動力軸のうち前記押しチャンバの中まで伸びている部分には押しロッドが固定的に連結され、前記押しチャンバの内壁には固定ロッドが対称的に固定的に設けられ、前記回転盤の左右両端と前記回転ロッドチャンバの内壁との間にはトーションバネが固定的に連結され、前記回転盤の外円面には四つの回転ロッドが排列分布され、前記回転ロッドの外側には前記ガイドスライドロッドの左端に固定的に連結された伸縮ロッドが設けられ、前記伸縮ロッドの中には伸縮チャンバが設けられ、前記回転ロッドが前記伸縮チャンバの中まで伸びており、前記ガイドスライドロッドの右端が前記環状照明チャンバの中まで伸びており、かつガイドスライドロッドのうち中心から離れている一端には連結ブロックが固定的に設けられ、前記連結ブロックのうち中心から離れている一端には閉め板が固定的に連結され、前記閉め板のうち中心から離れている一端にはコンセントが固定的に設けられ、前記ライトが前記コンセントの右側端面に固定的に設けられ、
前記ガイドスライドロッドが前記ガイドスライド溝のコースに沿って回転すると同時に外へ移動し、前記ライトを外部に移動連動させて照明させることを特徴とする請求項１に記載の照明できる掛け時計。
【請求項３】
前記ドア開閉装置は環状排列で前記不規則歯車の周囲に設けられ、かつ前記不規則歯車を噛み合うことができる四つの平歯車を含み、前記平歯車の外側には扇形回転ブロックが対応し設けられ、前記仕切り板の左端が前記扇形回転ブロックのうち中心から離れている一端に固定的に連結され、前記扇形回転ブロックのうち中心から離れている片側端面の中には前記平歯車と噛み合うラックが固定的に設けられ、前記不規則歯車の外円面には歯を持っている部分と歯を持っていない部分がそれぞれ四つ設けられ、
前記動力軸により前記仕切り板を回転連動させ、前記口を開けることを特徴とする請求項１に記載の照明できる掛け時計。
【請求項４】
前記針装置は前記針チャンバの左壁の中に固定的に設けられたムーブメントを含み、前記ムーブメントの右端には時針、分針及び秒針が動力が伝達できるように連結され、前記針チャンバの中の右側にはガラス板が固定的に設けられ、前記針チャンバの中の左側には光通し板が固定的に設けられ、
前記針装置によって時間が表示されることを特徴とする請求項１に記載の照明できる掛け時計。
【発明の詳細な説明】
【技術分野】
【０００１】
本発明は生活用品技術分野を取り上げて、具体的には照明できる掛け時計である。
【背景技術】
【０００２】
掛け時計は、生活においては時間を表示することに作用し、人々が時間を知ることに便利であり、しかし夜になると電気をつけなければ時間をみることができなく、照明の問題によって時間が見えにくくなる時もあり、現有の一部の掛け時計は照明機能を持ているが、時間をみるしか使えなく、夜間では一般的に電気をつければこそ行動でき、従って、照明できる掛け時計が必要とされ、本装置は掛け時計とライトとを一体化し、ライトは直接に掛け時計を照明することができ、時間をみることに便利である一方、照明装置として室内を照明することもできる。
【先行技術文献】
【特許文献】
【０００３】
【特許文献１】中国特許出願公開第103135431号明細書
【発明の概要】
【発明が解決しようとする課題】
【０００４】
本発明の目的は照明できる掛け時計を提供し、それは上記の現在の技術中の問題を解決できる。
【課題を解決するための手段】
【０００５】
本発明の照明できる掛け時計は、本体を含み、前記本体の中の右側には針装置が設けられ、前記針装置の左側には照明装置が設けられ、前記針装置の中の左側にはドア開閉装置が設けられ、前記本体の中にはモーターが設けられ、前記モーターの左端には動力軸が動力が伝達できるように連結され、前記動力軸のうち前記モーターから離れている一端が前記照明装置と前記ドア開閉装置とに連結され、前記針装置は前記本体の中に設けられ、かつ右方に開口した針チャンバを含み、前記照明装置は前記針チャンバの左側に連通し設けられた環状照明チャンバを含み、前記環状照明チャンバの左壁の中には環状排列の四つのガイドスライド溝が連通し設けられ、前記ガイドスライド溝の中にはガイドスライドロッドがスライドできるように設けられ、前記環状照明チャンバの中には環状排列の四つライトが設けられ、前記ガイドスライドロッドが前記ガイドスライド溝に沿ってスライドする時に前記ライトを中心から離れている方向へ移動連動させることができ、前記ガイドスライド溝の左側には回転ロッドチャンバが連通し設けられ、前記回転ロッドチャンバの中には回転盤が回転できるように設けられ、前記モーターが前記回転ロッドチャンバの右壁の中に固定的に設けられ、かつ前記回転盤を回転連動させることができ、前記ドア開閉装置は前記回転ロッドチャンバの左側に設けられた回転チャンバを含み、前記回転ロッドチャンバの中には前記動力軸の左端に固定的に連結された不規則歯車が回転できるように設けられ、前記回転チャンバの右側には前記環状照明チャンバの外円側に位置している環状仕切り板チャンバが連通し設けられ、前記環状仕切り板チャンバの中には環状排列の四つの仕切り板がスライドできるように設けられ、前記環状仕切り板チャンバの中には四つの口が環状排列に設けられ、前記口が前記環状照明チャンバと外部とを連通し、
前記モーターが前記仕切り板を先に開けることをコントロールし、そして前記ライトを外部に移動連動させて照明させる。
【０００６】
更の技術プラン、前記照明装置は前記回転盤の中に設けられた押しチャンバを含み、前記動力軸のうち前記押しチャンバの中まで伸びている部分には押しロッドが固定的に連結され、前記押しチャンバの内壁には固定ロッドが対称的に固定的に設けられ、前記回転盤の左右両端と前記回転ロッドチャンバの内壁との間にはトーションバネが固定的に連結され、前記回転盤の外円面には四つの回転ロッドが排列分布され、前記回転ロッドの外側には前記ガイドスライドロッドの左端に固定的に連結された伸縮ロッドが設けられ、前記伸縮ロッドの中には伸縮チャンバが設けられ、前記回転ロッドが前記伸縮チャンバの中まで伸びており、前記ガイドスライドロッドの右端が前記環状照明チャンバの中まで伸びており、かつガイドスライドロッドのうち中心から離れている一端には連結ブロックが固定的に設けられ、前記連結ブロックのうち中心から離れている一端には閉め板が固定的に連結され、前記閉め板のうち中心から離れている一端にはコンセントが固定的に設けられ、前記ライトが前記コンセントの右側端面に固定的に設けられ、
前記ガイドスライドロッドが前記ガイドスライド溝のコースに沿って回転すると同時に外へ移動し、前記ライトを外部に移動連動させて照明させる。
【０００７】
更の技術プラン、前記ドア開閉装置は環状排列で前記不規則歯車の周囲に設けられ、かつ前記不規則歯車を噛み合うことができる四つの平歯車を含み、前記平歯車の外側には扇形回転ブロックが対応し設けられ、前記仕切り板の左端が前記扇形回転ブロックのうち中心から離れている一端に固定的に連結され、前記扇形回転ブロックのうち中心から離れている片側端面の中には前記平歯車と噛み合うラックが固定的に設けられ、前記不規則歯車の外円面には歯を持っている部分と歯を持っていない部分がそれぞれ四つ設けられ、
前記動力軸により前記仕切り板を回転連動させ、前記口を開ける。
【０００８】
更の技術プラン、前記針装置は前記針チャンバの左壁の中に固定的に設けられたムーブメントを含み、前記ムーブメントの右端には時針、分針及び秒針が動力が伝達できるように連結され、前記針チャンバの中の右側にはガラス板が固定的に設けられ、前記針チャンバの中の左側には光通し板が固定的に設けられ、
前記針装置によって時間が表示される。
【発明の効果】
【０００９】
本発明は構造が簡単で、操作が便利であり、本装置によって掛け時計を照明することができ、夜間に時間をみることに便利であり、同時に室内を照明するモードに切り替えることができ、ライトに代わる。
【図面の簡単な説明】
【００１０】
【図１】図１は本発明の照明できる掛け時計の内部全体構成略図
【図２】図２は図１のＡ−Ａの構成略図
【図３】図３は図１のＢ−Ｂの構成略図
【図４】図４は図１のＣ−Ｃの構成略図
【図５】図５は図１のＤの拡大略図
【発明を実施するための形態】
【００１１】
以下、図１〜５を合わせて本発明について詳しく説明し、また、説明の便利を図るため、下記に記載の上下左右前後方向が図１自身の投影関係の上下左右前後方向と一致することにする。
【００１２】
図１〜５を参照し、本発明の照明できる掛け時計は、本体１１を含み、前記本体１１の中の右側には針装置１０１が設けられ、前記針装置１０１の左側には照明装置１０２が設けられ、前記針装置１０１の中の左側にはドア開閉装置１０３が設けられ、前記本体１１の中にはモーター１２が設けられ、前記モーター１２の左端には動力軸１３が動力が伝達できるように連結され、前記動力軸１３のうち前記モーター１２から離れている一端が前記照明装置１０２と前記ドア開閉装置１０３とに連結され、前記針装置１０１は前記本体１１の中に設けられ、かつ右方に開口した針チャンバ１４を含み、前記照明装置１０２は前記針チャンバ１４の左側に連通し設けられた環状照明チャンバ１９を含み、前記環状照明チャンバ１９の左壁の中には環状排列の四つのガイドスライド溝２１が連通し設けられ、前記ガイドスライド溝２１の中にはガイドスライドロッド２２がスライドできるように設けられ、前記環状照明チャンバ１９の中には環状排列の四つライト２３が設けられ、前記ガイドスライドロッド２２が前記ガイドスライド溝２１に沿ってスライドする時に前記ライト２３を中心から離れている方向へ移動連動させることができ、前記ガイドスライド溝２１の左側には回転ロッドチャンバ２４が連通し設けられ、前記回転ロッドチャンバ２４の中には回転盤２５が回転できるように設けられ、前記モーター１２が前記回転ロッドチャンバ２４の右壁の中に固定的に設けられ、かつ前記回転盤２５を回転連動させることができ、前記ドア開閉装置１０３は前記回転ロッドチャンバ２４の左側に設けられた回転チャンバ２６を含み、前記回転ロッドチャンバ２４の中には前記動力軸１３の左端に固定的に連結された不規則歯車２７が回転できるように設けられ、前記回転チャンバ２６の右側には前記環状照明チャンバ１９の外円側に位置している環状仕切り板チャンバ２８が連通し設けられ、前記環状仕切り板チャンバ２８の中には環状排列の四つの仕切り板２９がスライドできるように設けられ、前記環状仕切り板チャンバ２８の中には四つの口３０が環状排列に設けられ、前記口３０が前記環状照明チャンバ１９と外部とを連通し、
前記モーター１２が前記仕切り板２９を先に開けることをコントロールし、そして前記ライト２３を外部に移動連動させて照明させる。
【００１３】
有益的には、前記照明装置１０２は前記回転盤２５の中に設けられた押しチャンバ３２を含み、前記動力軸１３のうち前記押しチャンバ３２の中まで伸びている部分には押しロッド３３が固定的に連結され、前記押しチャンバ３２の内壁には固定ロッド３４が対称的に固定的に設けられ、前記回転盤２５の左右両端と前記回転ロッドチャンバ２４の内壁との間にはトーションバネ４１が固定的に連結され、前記回転盤２５の外円面には四つの回転ロッド３５が排列分布され、前記回転ロッド３５の外側には前記ガイドスライドロッド２２の左端に固定的に連結された伸縮ロッド３６が設けられ、前記伸縮ロッド３６の中には伸縮チャンバ３７が設けられ、前記回転ロッド３５が前記伸縮チャンバ３７の中まで伸びており、前記ガイドスライドロッド２２の右端が前記環状照明チャンバ１９の中まで伸びており、かつガイドスライドロッド２２のうち中心から離れている一端には連結ブロック３８が固定的に設けられ、前記連結ブロック３８のうち中心から離れている一端には閉め板３９が固定的に連結され、前記閉め板３９のうち中心から離れている一端にはコンセント４０が固定的に設けられ、前記ライト２３が前記コンセント４０の右側端面に固定的に設けられし、
前記ガイドスライドロッド２２が前記ガイドスライド溝２１のコースに沿って回転すると同時に外へ移動し、前記ライト２３を外部に移動連動させて照明させる。
【００１４】
有益的には、前記ドア開閉装置１０３は環状排列で前記不規則歯車２７の周囲に設けられ、かつ前記不規則歯車２７を噛み合うことができる四つの平歯車４２を含み、前記平歯車４２の外側には扇形回転ブロック４３が対応し設けられ、前記仕切り板２９の左端が前記扇形回転ブロック４３のうち中心から離れている一端に固定的に連結され、前記扇形回転ブロック４３のうち中心から離れている片側端面の中には前記平歯車４２と噛み合うラック４４が固定的に設けられ、前記不規則歯車２７の外円面には歯を持っている部分と歯を持っていない部分がそれぞれ四つ設けられし、
前記動力軸１３により前記仕切り板２９を回転連動させ、前記口３０を開ける。
【００１５】
有益的には、前記針装置１０１は前記針チャンバ１４の左壁の中に固定的に設けられたムーブメント１５を含み、前記ムーブメント１５の右端には時針１６、分針１７及び秒針１８が動力が伝達できるように連結され、前記針チャンバ１４の中の右側にはガラス板５０が固定的に設けられ、前記針チャンバ１４の中の左側には光通し板３１が固定的に設けられ、
前記針装置１０１によって時間が表示される。
【００１６】
初期状態では、仕切り板２９が口３０の中に位置しており、かつ口３０を閉め、ライト２３が環状照明チャンバ１９の中に位置している。
【００１７】
針を照明する時、ライト２３を通電させ、光線が光通し板３１を通して照明し、
室内を照明する時に、モーター１２が始動して動力軸１３を回転連動させ、不規則歯車２７と押しロッド３３を回転連動させ、不規則歯車２７が歯車の噛合によって平歯車４２を回転連動させ、かつラック４４を回転連動させ、扇形回転ブロック４３によって仕切り板２９を四十五度に回転連動させ、その時に仕切り板２９が環状仕切りチャンバ２８の中にスライドし、かつ口３０を開け、その時に不規則歯車２７と平歯車４２とが噛合状態から離脱し、押しロッド３３と固定ロッド３４とが当接し、かつ回転盤２５を回転連動させ、これにより回転ロッド３５と伸縮ロッド３６を回転連動させ、かつガイドスライドロッド２２をガイドスライド溝２１に沿ってスライドさせて外に移動連動させ、連結ブロック３８が閉め板３９とコンセント４０とを四十五度に回転連動させ、かつ閉め板３９とコンセント４０とを外へ移動連動させ、その時にライト２３が外部に移動し、閉め板３９が口３０を閉め、ライト２３をつけて室内を照明する。
【００１８】
本発明の有益効果は：本発明は構造が簡単で、操作が便利であり、本装置によって掛け時計を照明することができ、夜間に時間をみることに便利であり、同時に室内を照明するモードに切り替えることができ、ライトに代わる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180955.tif 000003
【図２】
2020180955.tif 000004
【図３】
2020180955.tif 000005
【図４】
2020180955.tif 000006
【図５】
2020180955.tif 000007